(57)【特許請求の範囲】
【請求項１】
蒸気排出口からガスカーテンウォールを発生させる蒸気投影カーテン発生装置と、
携帯型通信装置と接続され、信号の送受を行う通信インターフェースと、
前記通信インターフェースを介して前記携帯型通信装置から表示信号を受信し、当該表示信号を投影制御信号に変換する信号通信処理部と、
前記投影制御信号に基づいて前記ガスカーテンウォールに投影表示画面を生成する投影レンズと、
を備え、
前記蒸気排出口は、筐体から突出した扇形構造体であり、当該扇形構造体の内部に、複数の空気管が放射状に配置され、各空気管に流量制御弁がそれぞれ設けられており、流量制御により前記ガスカーテンウォールを矩形形状に形成する、
携帯型空中投影装置。
【請求項２】
請求項１に記載の携帯型空中投影装置であって、
前記蒸気排出口は、細長形状であり、当該細長形状の両端に、蒸気噴出角度を調整することによって前記ガスカーテンウォールの側方範囲を調整する調整板を設けた、
携帯型空中投影装置。
【請求項３】
請求項２に記載の携帯型空中投影装置であって、
前記ガスカーテンウォールの高さを、蒸気の流量と流速を調整することによって制御するシステム制御部を備えた、
携帯型空中投影装置。
【請求項４】
請求項３に記載の携帯型空中投影装置であって、
前記システム制御部は、前記ガスカーテンウォールの側方範囲および前記ガスカーテンウォールの高さに応じて、前記投影レンズの投影角度および焦点距離を調整することにより、投影表示画面の範囲を制御する、
携帯型空中投影装置。
【請求項５】
請求項１に記載の携帯型空中投影装置であって、
前記ガスカーテンウォールの後方に配置され、前記投影表示画面上の人の指の動きを検出してタッチ制御信号を生成し、前記通信インターフェースを介して前記携帯型通信装置に前記タッチ制御信号を送信する赤外線検出器を備えた、
携帯型空中投影装置。
【請求項６】
請求項５に記載の携帯型空中投影装置であって、
重力センサが配置された指置き台と、前記投影表示画面用の前記タッチ制御信号を生成する信号送信装置と、を備えた、
携帯型空中投影装置。
【請求項７】
請求項１に記載の携帯型空中投影装置であって、
携帯電話又はタブレットコンピュータである前記携帯型通信装置を充電可能な内蔵バッテリーを備えた、
携帯型空中投影装置。
【請求項８】
請求項１に記載の携帯型空中投影装置であって、
前記蒸気投影カーテン発生装置の貯水タンクは、外付け貯水容器から水を吸うことができる吸水ホースを有する、
携帯型空中投影装置。
【請求項９】
請求項１に記載の携帯型空中投影装置であって、
前記蒸気投影カーテン発生装置は、蒸気を生成する液体に着色料を添加する着色料添加モジュールを有する、
携帯型空中投影装置。
【発明の詳細な説明】
【技術分野】
【０００１】
本発明は、投影技術に関し、特に、携帯型空中投影装置に関する。
【背景技術】
【０００２】
ビジネスやエンターテイメントの活動においては、例えば、プレゼンテーション用のファイル、ビデオ、ウェブサイトなどの電子資料を説明したり、他の人と共有する必要があることがよくある。通常、人々は、コンピュータを持ち歩き、ビデオ周辺機器にコンピュータを接続する。これらの周辺機器は、一般的にプロジェクタやテレビなどで構成されているが、プロジェクタの価格は比較的高く、比較的広いスペースが必要とされる。また、プロジェクタは、白い壁面や投影スクリーンを必要としており、これらのことが投影の普及を困難としている。また、テレビは広く普及しているが、重量が大きすぎ、電源が必要であり、持ち運びができないため、必要に応じて自身の電子情報を他人と共有することができない。
【発明の概要】
【発明が解決しようとする課題】
【０００３】
時代の発展に伴い、コンピュータは徐々に携帯電話に置き換えられ、携帯電話とプロジェクタやテレビとの接続も実現されている。携帯電話は、コンピュータの機能の一部を置き換えることができ、都合よく持ち運ぶことができるが、依然として上述同様の問題がある。つまり、プロジェクタとテレビを一緒に持ち運ぶことができず、あるいは、例えば電車や車のような車両内といった特別の状況において携帯電話の画面の投影を実現する必要があるときには、かかる投影が非常に難しい。
【０００４】
しかしながら、車や列車のような車両内における短時間の会話や、空港の待合場所における偶然の話し合いでは、多くのビジネスチャンスが存在する。このような状況において、手持ちの電子資料を説明し共有することを必要とする場合であっても、ポータブルで即座に表示することができる投影装置はまだ存在しない。
【課題を解決するための手段】
【０００５】
本発明の目的は、携帯電話と組み合わせて使用することができ、携帯電話の画面に表示されたコンテンツを空中に投影することができる携帯型空中投影装置を提供することである。この装置は、持ち運び可能な１台で構成され、即座に使用することができる。
【０００６】
上記目的を達成するため、本発明の携帯型空中投影装置は、
蒸気排出口からガスカーテンウォールを発生させる蒸気投影カーテン発生装置と、
携帯型通信装置と接続され、信号の送受を行う通信インターフェースと、
前記通信インターフェースを介して前記携帯型通信装置から表示信号を受信し、当該表示信号を投影制御信号に変換する信号通信処理部と、
前記投影制御信号に基づいて前記ガスカーテンウォールに投影表示画面を生成する投影レンズと、
を備える。
【０００７】
好ましくは、上記携帯型空中投影装置では、
前記蒸気排出口は、細長形状であり、当該細長形状の両端に、蒸気噴出角度を調整することによって前記ガスカーテンウォールの側方範囲を調整する調整板を設けている。
【０００８】
好ましくは、上記携帯型空中投影装置では、
前記ガスカーテンウォールの高さを、蒸気の流量と流速を調整することによって制御するシステム制御部を備える。
【０００９】
好ましくは、上記携帯型空中投影装置では、
前記システム制御部は、前記ガスカーテンウォールの側方範囲および前記ガスカーテンウォールの高さに応じて、前記投影レンズの投影角度および焦点距離を調整することにより、投影表示画面の範囲を制御する。
【００１０】
好ましくは、上記携帯型空中投影装置では、
前記ガスカーテンウォールの後方に配置され、前記投影表示画面上の人の指の動きを検出してタッチ制御信号を生成し、前記通信インターフェースを介して前記携帯型通信装置に前記タッチ制御信号を送信する赤外線検出器を備える。
【００１１】
好ましくは、上記携帯型空中投影装置では、
重力センサが配置された指置き台と、前記投影表示画面用の前記タッチ制御信号を生成する信号送信装置と、を備える。
【００１２】
好ましくは、上記携帯型空中投影装置では、
携帯電話又はタブレットコンピュータである前記携帯型通信装置を充電可能な内蔵バッテリーを備える。
【００１３】
好ましくは、上記携帯型空中投影装置では、
前記蒸気排出口は、筐体から突出した扇形構造体であり、当該扇形構造体の内部に、複数の空気管が放射状に配置され、各空気管に流量制御弁がそれぞれ設けられており、流量制御により前記ガスカーテンウォールを矩形形状に形成する。
【００１４】
好ましくは、上記携帯型空中投影装置では、
前記蒸気投影カーテン発生装置の貯水タンクは、外付け貯水容器から水を吸うことができる吸水ホースを有する。
【００１５】
好ましくは、上記携帯型空中投影装置では、
前記蒸気投影カーテン発生装置は、蒸気を生成する液体に着色料を添加する着色料添加モジュールを有する。
【００１６】
本発明の実施形態によると、以下の利点を有する。
（１）本発明の実施形態では、プロジェクタ、有形のスクリーンや壁を必要とせず、また、テレビやコンピュータを必要としないで、ガスカーテンウォールを利用して携帯電話スクリーンの投影を行うことができる。このため、いつでもどこでも持ち運べて電子資料の提示や共有を行うことができ、車や電車のような車両内の短時間の会話といった状況に非常に適している。これにより、即座の会話を非常に効果的に行うことができ、ビジネス活動を効果的に促進させることができる。
（２）本発明の実施形態では、調整板が両側方に傾斜することにより、両側方への蒸気噴出角度を増加させ、空中投影スクリーンの面積を増加させる。
（３）本発明の実施形態では、ガスカーテンウォールのサイズを、蒸気の流量および流速を調整することによって制御する。また、投影レンズの投影角度および焦点距離を調整することによって、投影画像の映像効果を調整する。
（４）本発明の実施形態では、筐体から突出する扇状構造の蒸気排出口によって、小型ではあるものの大画面を実現し、製品の携帯性が向上する。
（５）本発明の実施形態では、吸水ホースを装備することにより、水を得ることができ、貯水タンクの容積を小さくすることができ、製品の携帯性が向上する。
【００１７】
以下、本発明の目的、利点及び特徴をより明確にするため、図面と実施形態を用いて詳細に説明する。
【図面の簡単な説明】
【００１８】
本発明の具体的な実施形態を、図面を参照して限定的にではなく例示的に以下に説明する。図面において、同一の参照符号は同一又は類似の構成要素や部分を示す。当業者であれば、図面における各部分は必ずしも縮尺通りに描かれていないことは理解されうる。
【図１】本発明の一実施形態における携帯型空中投影装置の立体構造図である。
【図２】本発明の一実施形態における携帯型空中投影装置の上面図である。
【図３】本発明の一実施形態における携帯型空中投影装置の内部構造図である。
【図４】本発明の一実施形態における携帯電話と連結した携帯型空中投影装置の使用状況を示す図である。
【図５】本発明の一実施形態における携帯型空中投影装置の蒸気排出口の構造図である。
【発明を実施するための形態】
【００１９】
図１及び図２は、本発明の一実施形態における携帯型空中投射装置の立体構造図及び上面図である。
【００２０】
図１及び図２に示すように、本発明の一実施形態における携帯型空中投影装置は、
蒸気排出口１１０からガスカーテンウォールを発生させる蒸気投影カーテン発生装置と、
携帯型通信装置と接続され、信号の送受を行う通信インターフェース１２０と、
前記通信インターフェースを介して前記携帯型通信装置から表示信号を受信し、当該表示信号を投影制御信号に変換する信号通信処理部と、
前記投影制御信号に基づいて前記ガスカーテンウォールに投影表示画面を生成する投影レンズ１３０と、
を備えている。
【００２１】
本発明の一実施形態によると、通信インターフェースは携帯電話からの信号を受信し、信号が処理された後、光学像が投写レンズによって投射され、蒸気排出口によって生成されたカーテンウォール上に投影される。ガスカーテンウォールは肉眼ではほとんど見えないため、携帯電話の画面の情報は、スクリーンのような空中に表示される。
【００２２】
したがって、本発明の一実施形態では、ガスカーテンウォールを用いて携帯電話画面の投影を行うため、プロジェクタを必要とせず、有形のスクリーンまたは壁を必要とせず、テレビやコンピュータを必要としない。このため、電子資料の提示や共有をいつでもどこでも行うことができ、車や電車のような車両内の短時間の会話といった状況に非常に適している。これにより、即座の会話を非常に効果的に行うことができ、ビジネス活動を効果的に促進させることができる。
【００２３】
図２に示すように、蒸気排出口は細長形状であり、細長形状の両端には蒸気噴出角度を調整する調整板１１１が設けられており、これによってガスカーテンウォールの側方範囲を調整する。調整板１１１を両側方に傾けることにより、両側方への蒸気噴出角度が増加し、空中投影スクリーンの面積が増加する。
【００２４】
図３は、本発明の一実施形態における携帯型空中投影装置の内部構造図である。図３に示すように、携帯型空中投射装置の内部には、信号通信処理部及びプロセッサ部に加え、蒸気の流量と流速を調整することによりガスカーテンウォールの高さを制御するシステム制御部を備える。大画面が必要な場合には、流量や流速を増加させて蒸気流の範囲を広げ、ガスカーテンウォールの面積を広くする。
【００２５】
システム制御ユニットは、さらに、ガスカーテンウォールの側方範囲およびガスカーテンウォールの高さに応じて投影レンズの投影角度および焦点距離を調整するために使用され、投影表示画面の範囲を制御する。これにより、投影表示画面をガスカーテンウォールの有効範囲とできるだけ一致させ、蒸気の無駄を抑制する。例えば、ガスカーテンウォールが非常に大きく、かつ、投影表示画面が非常に小さい場合には、投影角度および焦点距離を制御して投影表示画面を拡大するか、または、蒸気の流速を減少させることによってガスカーテンウォールを縮小する必要がある。
【００２６】
図１及び図２に示すように、携帯用空中投射装置は、ガスカーテンウォールの後方に配置され、投影表示画面上の人の指の動きを検出してタッチ制御信号を生成し、通信インターフェースを介して携帯型移動通信装置にタッチ制御信号を送信する赤外線検出器１４０を備える。図中では、赤外線検出器１４０は２つ装備されているが、もちろんそれよりも多くてもよい。赤外線検出器は、スクリーンの後ろに配置されているので、人間の手で塞がれてしまうことによって、データ検出を誤り、これによる誤操作を防止できる。また、重力センサが配置された外付け指置き台と、投影表示画面用のタッチ制御信号を生成する信号送信装置と、が設けられていてもよい。
【００２７】
図４は、本発明の一実施形態における携帯型空中投影装置を携帯電話に接続して使用するときの様子を示す図である。図４に示すように、携帯型空中投影装置の筐体は、携帯電話の筐体に適合するように設計されており、通信インターフェースで直接接続され、接続後に一体化される。携帯型空中投影装置は、投影画像を生成し、携帯電話のスピーカ２００を介して音声再生を行う。
【００２８】
本発明の一実施形態では、携帯用空中投影装置は、携帯型通信装置を充電可能な内蔵バッテリーを備えている。従って、携帯用空中投射装置をプロジェクタとして使用しない場合には、電力貯蔵装置として機能するため、ユーザは携帯型通信装置と共に持ち運ぶこととなる。携帯型通信装置は、携帯電話またはタブレットコンピュータである。なお、本発明の装置では、通信インターフェースはＵＳＢインターフェースに限定されず、ブルートゥースまたは他の無線インターフェースであってもよい。
【００２９】
図５は、本発明の一実施形態における携帯型空中投影装置の蒸気排出口の構造図である。図５に示すように、蒸気排出口は、筐体から突出した扇形構造体である。扇形構造体の内部には、複数の空気管が放射状に配置され、各空気管には流量制御弁が設けられており、流量制御によりガスカーテンウォールを矩形形状にする。
【００３０】
本実施形態では、蒸気排出口を筐体から突出した扇形構造体とし、扇形放射状に蒸気を排出することで、小さな排出口で大きなカーテンウォールを実現している。これにより、排出口の小型化を図ることができ、可搬性をもたらす。このように蒸気排出口を扇形構造体としている理由は、単に平面状の直線排出口の場合には、出射角度には限界があり、排出口の幅をはるかに超えた大きなスクリーンを実現することが困難となる、ということによる。筐体から突出する扇形構造体は、折り畳み可能または格納可能であってもよく、使用されていないときは折り畳まれたり格納されることで、外観を平らに保つことができる。
【００３１】
また、図５に示すように、スクリーン投影は通常矩形である。仮にガスカーテンウォールが扇形に放射されると、蒸気浪費の原因となるため、各空気管を制御することによってガスカーテンウォールを全体的に略矩形形状とし、蒸気を節約する。
【００３２】
さらに、本発明の一実施形態では、蒸気投影カーテン発生装置の貯水タンクは、直接、外付け貯水容器から水を吸うことができる吸水ホースを有している。このことは、小型化、可搬性の観点からであり、貯水タンクをあまり大きくしてはならず、頻繁に水を加えることに手間がかかる。従って、吸水ホースを直接配置し、現場の使い捨て飲料カップやミネラルウォーターボトルを一時的な貯水タンクとして利用することで、水の供給源の問題を解決し、さらに、携帯型空中投影装置の容積を減少させることができる。
【００３３】
更に、本発明の実施形態では、蒸気投影カーテン発生装置は、蒸気を生成する液体に着色料を添加する着色料添加モジュールを備えている。光が良好でない場合には、透明なガスカーテンウォールの表示効果が理想的ではないため、着色料を添加することによってカーテンウォールの光透過率を低下させて実際の壁のようにし、カーテンウォールの投影効果を向上させることができる。
【００３４】
さらに、本発明の他の実施形態では、２つの蒸気排出口が配置されていてもよい。この場合、一方は、透明なガスカーテンウォールを排出し、他方は、食用の着色料が添加されベースとして作用するガスカーテンウォールを排出する。これにより、簡単なステレオ効果を実現することができる。
【００３５】
以上のことから、本発明は以下の利点を有する。
（１）本発明の実施形態では、プロジェクタ、有形のスクリーンや壁を必要とせず、また、テレビやコンピュータを必要としないで、ガスカーテンウォールを利用して携帯電話スクリーンの投影を行うことができる。このため、いつでもどこでも持ち運べて電子資料の提示や共有を行うことができ、車や電車のような車両内の短時間の会話といった状況に非常に適している。これにより、即座の会話を非常に効果的に行うことができ、ビジネス活動を効果的に促進させることができる。
（２）本発明の実施形態では、調整板が両側方に傾斜することにより、両側方への蒸気噴出角度を増加させ、空中投影スクリーンの面積を増加させる。
（３）本発明の実施形態では、ガスカーテンウォールのサイズを、蒸気の流量および流速を調整することによって制御する。また、投影レンズの投影角度および焦点距離を調整することによって、投影画像の映像効果を調整する。
（４）本発明の実施形態では、筐体から突出する扇状構造の蒸気排出口によって、小型ではあるものの大画面を実現し、製品の携帯性が向上する。
（５）本発明の実施形態では、吸水ホースを装備することにより、水を得ることができ、貯水タンクの容積を小さくすることができ、製品の携帯性が向上する。
【００３６】
以上、本発明の複数の実施形態を例示的かつ詳細に説明したが、本発明の原理と一致する他の変形又は変更が、本発明の精神及び範囲を逸脱することなく、本発明から直接的に決定、派生されることは、当業者に認定されるであろう。したがって、本発明の範囲は、他のあらゆる変形又は変更を含むと理解される。
【図１】
0006619459.tif 000002
【図２】
0006619459.tif 000003
【図３】
0006619459.tif 000004
【図４】
0006619459.tif 000005
【図５】
0006619459.tif 000006